(57)【要約】【課題】電子私書箱サーバ、情報保有機関の情報保有サーバ双方の処理負荷を軽減し、機能の簡素化を図ることが可能な電子私書箱システムを提供する。【解決手段】利用者向け電子私書箱サーバ２０Ａ〜２０Ｄは、受信した利用者端末２０Ａ〜２０Ｄからの利用者情報を、各情報保有サーバ４０Ａ〜４０Ｃに共通のフォーマットとしてあらかじめ定めたフォーマットに変換して、ネットワーク５０を介して、当該利用者情報の送信先に該当する情報保有機関向け電子私書箱サーバ３０Ａ〜３０Ｃのいずれかに送信し、対応する各情報保有サーバ４０Ａ〜４０Ｃに当該情報保有サーバ用の利用者情報を配信する情報保有機関向け電子私書箱サーバ３０Ａ〜３０Ｃは、利用者向け電子私書箱サーバ２０Ａ〜２０Ｄからの利用者情報を、対応する各情報保有サーバ４０Ａ〜４０Ｃが取り扱うことが可能なフォーマットに変換して、送信先の情報保有サーバ４０Ａ〜４０Ｃに転送する。【選択図】図１
2010257364.tif 000002
【特許請求の範囲】
【請求項１】
利用者端末からの利用者情報を受信した電子私書箱サーバが、該利用者情報の送信先となる情報保有機関の情報保有サーバに対してネットワークを介して転送する電子私書箱システムにおいて、前記利用者端末側に配置し、前記利用者端末からの前記利用者情報を受信する利用者向け電子私書箱サーバと、各前記情報保有サーバそれぞれと対応付けて情報保有機関側に配置し、各前記情報保有サーバ用の利用者情報を、該当する前記情報保有サーバに配信する情報保有機関向け電子私書箱サーバとを、ネットワークを介して接続し、かつ、前記利用者向け電子私書箱サーバは、受信した前記利用者端末からの前記利用者情報を、各前記情報保有サーバに共通の通信インタフェース、共通のフォーマットとしてあらかじめ定めた通信インタフェース、フォーマットに変換して、前記ネットワークを介して、当該利用者情報の送信先に該当する前記情報保有機関向け電子私書箱サーバに送信し、かつ、前記情報保有機関向け電子私書箱サーバは、前記利用者向け電子私書箱サーバから受信した前記利用者情報を、前記共通の通信インタフェース、共通のフォーマットから、当該情報保有機関向け電子私書箱サーバに対応付けられた前記情報保有サーバが取り扱うことが可能な固有の通信インタフェース、フォーマットに変換して、送信先の前記情報保有サーバに転送することを特徴とする電子私書箱システム。
【請求項２】
請求項１に記載の電子私書箱システムにおいて、前記情報保有機関向け電子私書箱サーバは、前記利用者向け電子私書箱サーバから前記利用者情報を受信した際に、送信先の前記情報保有サーバが前記利用者情報の受信が可能なオンライン状態にあるか否かを確認し、前記情報保有サーバが前記オンライン状態にあった場合、前記利用者向け電子私書箱サーバから受信して前記固有の通信インタフェース、フォーマットに変換した前記利用者情報を、送信先の前記情報保有サーバに転送し、一方、前記情報保有サーバが前記オンライン状態ではなかった場合、前記利用者向け電子私書箱サーバから受信して前記固有の通信インタフェース、フォーマットに変換した前記利用者情報を保存し、前記情報保有サーバからの利用者情報の転送要求を受信した際に、前記情報保有サーバに転送することを特徴とする電子私書箱システム。
【請求項３】
請求項１に記載の電子私書箱システムにおいて、前記情報保有機関向け電子私書箱サーバは、前記情報保有サーバからの利用者情報の転送要求を受信するまで、前記利用者向け電子私書箱サーバから受信して前記固有の通信インタフェース、フォーマットに変換した前記利用者情報を保存し、前記転送要求を受信した際に、前記情報保有サーバに転送することを特徴とする電子私書箱システム。
【請求項４】
請求項１ないし３のいずれかに記載の電子私書箱システムにおいて、前記利用者向け電子私書箱サーバは、前記利用者情報を転送先の前記情報保有機関向け電子私書箱サーバに送信する前に、転送先の前記情報保有機関向け電子私書箱サーバとの間で相互認証を行い、相互認証が得られた場合に、前記利用者情報を前記情報保有機関向け電子私書箱サーバに送信することを特徴とする電子私書箱システム。
【請求項５】
利用者端末からの利用者情報を受信して、送信先の情報保有機関の情報保有サーバに対してネットワークを介して転送する電子私書箱サーバにおいて、前記利用者端末からの前記利用者情報を、各前記情報保有機関の情報保有サーバに共通の通信インタフェース、共通のフォーマットとしてあらかじめ定めた通信インタフェース、フォーマットに変換する共通インタフェース変換手段を備えていることを特徴とする電子私書箱サーバ。
【請求項６】
利用者端末からの利用者情報を受信して、送信先の情報保有機関の情報保有サーバに対してネットワークを介して転送する電子私書箱サーバにおいて、各前記情報保有サーバに共通の通信インタフェース、共通のフォーマットとしてあらかじめ定めた通信インタフェース、フォーマットの前記利用者情報を、送信先の前記情報保有サーバが取り扱うことができる固有の通信インタフェース、フォーマットに変換する固有インタフェース変換手段を備えていることを特徴とする電子私書箱サーバ。
【請求項７】
利用者端末からの利用者情報を受信した電子私書箱サーバが、該利用者情報の送信先の情報保有機関の情報保有サーバに対してネットワークを介して転送する情報転送方法であって、前記利用者端末側に配置し、前記利用者端末からの前記利用者情報を受信する利用者向け電子私書箱サーバと、各前記情報保有サーバそれぞれと対応付けて情報保有機関側に配置し、各前記情報保有サーバ用の利用者情報を、該当する前記情報保有サーバに配信する情報保有機関向け電子私書箱サーバとを、ネットワークを介して接続し、かつ、前記利用者向け電子私書箱サーバは、受信した前記利用者端末からの前記利用者情報を、各前記情報保有サーバに共通の通信インタフェース、共通のフォーマットとしてあらかじめ定めた通信インタフェース、フォーマットに変換して、前記ネットワークを介して、当該利用者情報の送信先に該当する前記情報保有機関向け電子私書箱サーバに送信し、かつ、前記情報保有機関向け電子私書箱サーバは、前記利用者向け電子私書箱サーバから受信した前記利用者情報を、前記共通の通信インタフェース、共通のフォーマットから、当該情報保有機関向け電子私書箱サーバに対応付けられた前記情報保有サーバが取り扱うことが可能な固有の通信インタフェース、フォーマットに変換して、送信先の前記情報保有サーバに転送することを特徴とする情報転送方法。
【請求項８】
請求項７に記載の情報転送方法において、前記情報保有機関向け電子私書箱サーバは、前記利用者向け電子私書箱サーバから前記利用者情報を受信した際に、送信先の前記情報保有サーバが前記利用者情報の受信が可能なオンライン状態にあるか否かを確認し、前記情報保有サーバが前記オンライン状態にあった場合、前記利用者向け電子私書箱サーバから受信して前記固有の通信インタフェース、フォーマットに変換した前記利用者情報を、送信先の前記情報保有サーバに転送し、一方、前記情報保有サーバが前記オンライン状態ではなかった場合、前記利用者向け電子私書箱サーバから受信して前記固有の通信インタフェース、フォーマットに変換した前記利用者情報を保存し、前記情報保有サーバからの利用者情報の転送要求を受信した際に、前記情報保有サーバに転送することを特徴とする情報転送方法。
【請求項９】
請求項７に記載の情報転送方法において、前記情報保有機関向け電子私書箱サーバは、前記情報保有サーバからの利用者情報の転送要求を受信するまで、前記利用者向け電子私書箱サーバから受信して前記固有の通信インタフェース、フォーマットに変換した前記利用者情報を保存し、前記転送要求を受信した際に、前記情報保有サーバに転送することを特徴とする情報転送方法。
【請求項１０】
請求項７ないし９のいずれかに記載の情報転送方法において、前記利用者向け電子私書箱サーバは、前記利用者情報を転送先の前記情報保有機関向け電子私書箱サーバに送信する前に、転送先の前記情報保有機関向け電子私書箱サーバとの間で相互認証を行い、相互認証が得られた場合に、前記利用者情報を前記情報保有機関向け電子私書箱サーバに送信することを特徴とする情報転送方法。
【発明の詳細な説明】
【技術分野】
【０００１】
本発明は、電子私書箱システム、電子私書箱サーバおよび情報転送方法に関する。
【背景技術】
【０００２】
従来の電子私書箱システムにおいては、特許文献１の特開２００１−２４４９６１号公報「電子私書箱方式」にも記載されているように、図４のようなシステム構成からなっている。図４は、従来の電子私書箱システムのシステム構成を示すシステム構成図である。
【０００３】
図４において、各利用者Ａ，Ｂ，Ｃ，Ｄ，…それぞれが利用する利用者端末１０Ａ，１０Ｂ，１０Ｃ，１０Ｄ，…から、それぞれの利用者情報（利用者Ａ情報、利用者Ｂ情報、利用者Ｃ情報、利用者Ｄ情報、…）を送信先の情報保有機関の情報保有サーバ４０Ａ，４０Ｂ，４０Ｃのいずれかに送信しようとする場合、利用者端末１０Ａ，１０Ｂ，１０Ｃ，１０Ｄ，…から、それぞれのネットワーク６０Ａ，６０Ｂ，６０Ｃ，５０Ｄ，…を介して、一旦、各利用者Ａ，Ｂ，Ｃ，Ｄ，…用の電子私書箱として設けられている電子私書箱サーバ７０Ａ，７０Ｂ，７０Ｃ，７０Ｄ，…に送信して、電子私書箱サーバ７０Ａ，７０Ｂ，７０Ｃ，７０Ｄ，…のそれぞれに一旦保存する。
【０００４】
しかる後、電子私書箱サーバ７０Ａ，７０Ｂ，７０Ｃ，７０Ｄ，…は、一旦保存した利用者情報（利用者Ａ情報、利用者Ｂ情報、利用者Ｃ情報、利用者Ｄ情報、…）を、インタフェース変換処理部７３Ａ，７３Ｂ，７３Ｃ，７３Ｄ，…において、送信先の情報保有機関の情報保有サーバ４０Ａ，４０Ｂ，４０Ｃにて取り扱うことができる通信インタフェース、フォーマットにインタフェース変換した後、ネットワーク５０を介して、送信先の情報保有機関の情報保有サーバ４０Ａ，４０Ｂ，４０Ｃに送信する。
【０００５】
つまり、従来の電子私書箱システムにおいては、各情報保有機関の情報保有サーバ４０Ａ，４０Ｂ，４０Ｃと利用者が利用する電子私書箱サーバ７０Ａ，７０Ｂ，７０Ｃ，７０Ｄ，…とは、ネットワーク５０を経由して、直接、情報の送受信を行っている。
【０００６】
このため、各利用者Ａ，Ｂ，Ｃ，Ｄ，…が情報保有機関の情報保有サーバ４０Ａ，４０Ｂ，４０Ｃのいずれかへ当該利用者の利用者情報を送信する場合は、一旦、電子私書箱サーバ７０Ａ，７０Ｂ，７０Ｃ，７０Ｄ，…へ当該利用者情報を送信し、電子私書箱サーバ７０Ａ，７０Ｂ，７０Ｃ，７０Ｄ，…が、該当する各情報保有機関の情報保有サーバ４０Ａ，４０Ｂ，４０Ｃへ転送するか、あるいは、各情報保有機関の情報保有サーバ４０Ａ，４０Ｂ，４０Ｃが、適宜、当該電子私書箱サーバ７０Ａ，７０Ｂ，７０Ｃ，７０Ｄ，…にアクセスして当該利用者情報を入手することが必要であった。
【０００７】
また、電子私書箱サーバ７０Ａ，７０Ｂ，７０Ｃ，７０Ｄ，…は、各情報保有機関の情報保有サーバ４０Ａ，４０Ｂ，４０Ｃそれぞれとの間で情報の送受信を行う場合の通信インタフェースやフォーマットが各情報保有機関の情報保有サーバ４０Ａ，４０Ｂ，４０Ｃそれぞれで異なっているため、インタフェース変換処理部７３Ａ，７３Ｂ，７３Ｃ，７３Ｄ，…をそれぞれに備えており、各情報保有機関の情報保有サーバ４０Ａ，４０Ｂ，４０Ｃそれぞれとの通信インタフェースやフォーマットに対応するためのインタフェース変換処理を行うことが必要であった。
【先行技術文献】
【特許文献】
【０００８】
【特許文献１】特開２００１−２４４９６１号公報
【発明の概要】
【発明が解決しようとする課題】
【０００９】
従来の電子私書箱方式においては、前述のような問題があるのみならず、情報保有機関の情報保有サーバが休止中であったりあるいはバッチ処理を行っていたりする等、常には、オンライン状態になっていない場合があるため、電子私書箱サーバからの情報を受け取ることができないことがある。かかる場合には、電子私書箱サーバは、情報保有機関の情報保有サーバがオンラインに切り替わるまで、リトライを繰り返して、オンラインに切り替わった後で当該情報保有サーバへ情報を送信することが必要であり、電子私書箱サーバの処理負荷が大きくなるという問題があった。
【００１０】
また、情報保有機関の情報保有サーバが電子私書箱サーバに適宜アクセスして利用者情報を入手する場合、各利用者が利用する電子私書箱サーバは、一般に、複数存在しているため、各利用者が利用する電子私書箱サーバ全てに亘って、情報保有サーバは、当該情報保有サーバ用の利用者情報が存在するか否かをチェックすることが必要であり、情報保有機関の情報保有サーバの処理負荷が大きくなるという問題があった。
【００１１】
また、電子私書箱サーバが複数存在する場合は、それぞれの電子私書箱サーバにおいて、前述のように、各情報保有機関の情報保有サーバとの間で情報を送受信する場合の通信インタフェースやフォーマットを変換する機能が必要であり、重複したインタフェース変換機能を各電子私書箱サーバに備えることが必要であった。
【００１２】
本発明は、かかる問題に鑑みてなされたものであり、電子私書箱サーバ、情報保有機関の情報保有サーバ双方の処理負荷を軽減し、機能の簡素化を図ることが可能な電子私書箱システム、電子私書箱サーバおよび情報転送方法を提供することをその目的としている。
【課題を解決するための手段】
【００１３】
本発明は、前述の課題を解決するために、以下のごとき各技術手段から構成されている。
【００１４】
第１の技術手段は、利用者端末からの利用者情報を受信した電子私書箱サーバが、該利用者情報の送信先となる情報保有機関の情報保有サーバに対してネットワークを介して転送する電子私書箱システムにおいて、前記利用者端末側に配置し、前記利用者端末からの前記利用者情報を受信する利用者向け電子私書箱サーバと、各前記情報保有サーバそれぞれと対応付けて情報保有機関側に配置し、各前記情報保有サーバ用の利用者情報を、該当する前記情報保有サーバに配信する情報保有機関向け電子私書箱サーバとを、ネットワークを介して接続し、かつ、前記利用者向け電子私書箱サーバは、受信した前記利用者端末からの前記利用者情報を、各前記情報保有サーバに共通の通信インタフェース、共通のフォーマットとしてあらかじめ定めた通信インタフェース、フォーマットに変換して、前記ネットワークを介して、当該利用者情報の送信先に該当する前記情報保有機関向け電子私書箱サーバに送信し、かつ、前記情報保有機関向け電子私書箱サーバは、前記利用者向け電子私書箱サーバから受信した前記利用者情報を、前記共通の通信インタフェース、共通のフォーマットから、当該情報保有機関向け電子私書箱サーバに対応付けられた前記情報保有サーバが取り扱うことが可能な固有の通信インタフェース、フォーマットに変換して、送信先の前記情報保有サーバに転送することを特徴とする。
【００１５】
第２の技術手段は、前記第１の技術手段に記載の電子私書箱システムにおいて、前記情報保有機関向け電子私書箱サーバは、前記利用者向け電子私書箱サーバから前記利用者情報を受信した際に、送信先の前記情報保有サーバが前記利用者情報の受信が可能なオンライン状態にあるか否かを確認し、前記情報保有サーバが前記オンライン状態にあった場合、前記利用者向け電子私書箱サーバから受信して前記固有の通信インタフェース、フォーマットに変換した前記利用者情報を、送信先の前記情報保有サーバに転送し、一方、前記情報保有サーバが前記オンライン状態ではなかった場合、前記利用者向け電子私書箱サーバから受信して前記固有の通信インタフェース、フォーマットに変換した前記利用者情報を保存し、前記情報保有サーバからの利用者情報の転送要求を受信した際に、前記情報保有サーバに転送することを特徴とする。
【００１６】
第３の技術手段は、前記第１の技術手段に記載の電子私書箱システムにおいて、前記情報保有機関向け電子私書箱サーバは、前記情報保有サーバからの利用者情報の転送要求を受信するまで、前記利用者向け電子私書箱サーバから受信して前記固有の通信インタフェース、フォーマットに変換した前記利用者情報を保存し、前記転送要求を受信した際に、前記情報保有サーバに転送することを特徴とする電子私書箱システム。
【００１７】
第４の技術手段は、前記第１ないし第３の技術手段のいずれかに記載の電子私書箱システムにおいて、前記利用者向け電子私書箱サーバは、前記利用者情報を転送先の前記情報保有機関向け電子私書箱サーバに送信する前に、転送先の前記情報保有機関向け電子私書箱サーバとの間で相互認証を行い、相互認証が得られた場合に、前記利用者情報を前記情報保有機関向け電子私書箱サーバに送信することを特徴とする。
【００１８】
第５の技術手段は、利用者端末からの利用者情報を受信して、送信先の情報保有機関の情報保有サーバに対してネットワークを介して転送する電子私書箱サーバにおいて、前記利用者端末からの前記利用者情報を、各前記情報保有機関の情報保有サーバに共通の通信インタフェース、共通のフォーマットとしてあらかじめ定めた通信インタフェース、フォーマットに変換する共通インタフェース変換手段を備えていることを特徴とする。
【００１９】
第６の技術手段は、利用者端末からの利用者情報を受信して、送信先の情報保有機関の情報保有サーバに対してネットワークを介して転送する電子私書箱サーバにおいて、各前記情報保有サーバに共通の通信インタフェース、共通のフォーマットとしてあらかじめ定めた通信インタフェース、フォーマットの前記利用者情報を、送信先の前記情報保有サーバが取り扱うことができる固有の通信インタフェース、フォーマットに変換する固有インタフェース変換手段を備えていることを特徴とする。
【００２０】
第７の技術手段は、利用者端末からの利用者情報を受信した電子私書箱サーバが、該利用者情報の送信先の情報保有機関の情報保有サーバに対してネットワークを介して転送する情報転送方法であって、前記利用者端末側に配置し、前記利用者端末からの前記利用者情報を受信する利用者向け電子私書箱サーバと、各前記情報保有サーバそれぞれと対応付けて情報保有機関側に配置し、各前記情報保有サーバ用の利用者情報を、該当する前記情報保有サーバに配信する情報保有機関向け電子私書箱サーバとを、ネットワークを介して接続し、かつ、前記利用者向け電子私書箱サーバは、受信した前記利用者端末からの前記利用者情報を、各前記情報保有サーバに共通の通信インタフェース、共通のフォーマットとしてあらかじめ定めた通信インタフェース、フォーマットに変換して、前記ネットワークを介して、当該利用者情報の送信先に該当する前記情報保有機関向け電子私書箱サーバに送信し、かつ、前記情報保有機関向け電子私書箱サーバは、前記利用者向け電子私書箱サーバから受信した前記利用者情報を、前記共通の通信インタフェース、共通のフォーマットから、当該情報保有機関向け電子私書箱サーバに対応付けられた前記情報保有サーバが取り扱うことが可能な固有の通信インタフェース、フォーマットに変換して、送信先の前記情報保有サーバに転送することを特徴とする。
【００２１】
第８の技術手段は、前記第７の技術手段に記載の情報転送方法において、前記情報保有機関向け電子私書箱サーバは、前記利用者向け電子私書箱サーバから前記利用者情報を受信した際に、送信先の前記情報保有サーバが前記利用者情報の受信が可能なオンライン状態にあるか否かを確認し、前記情報保有サーバが前記オンライン状態にあった場合、前記利用者向け電子私書箱サーバから受信して前記固有の通信インタフェース、フォーマットに変換した前記利用者情報を、送信先の前記情報保有サーバに転送し、一方、前記情報保有サーバが前記オンライン状態ではなかった場合、前記利用者向け電子私書箱サーバから受信して前記固有の通信インタフェース、フォーマットに変換した前記利用者情報を保存し、前記情報保有サーバからの利用者情報の転送要求を受信した際に、前記情報保有サーバに転送することを特徴とする。
【００２２】
第９の技術手段は、前記第７の技術手段に記載の情報転送方法において、前記情報保有機関向け電子私書箱サーバは、前記情報保有サーバからの利用者情報の転送要求を受信するまで、前記利用者向け電子私書箱サーバから受信して前記固有の通信インタフェース、フォーマットに変換した前記利用者情報を保存し、前記転送要求を受信した際に、前記情報保有サーバに転送することを特徴とする。
【００２３】
第１０の技術手段は、前記第７ないし第９の技術手段のいずれかに記載の情報転送方法において、前記利用者向け電子私書箱サーバは、前記利用者情報を転送先の前記情報保有機関向け電子私書箱サーバに送信する前に、転送先の前記情報保有機関向け電子私書箱サーバとの間で相互認証を行い、相互認証が得られた場合に、前記利用者情報を前記情報保有機関向け電子私書箱サーバに送信することを特徴とする。
【発明の効果】
【００２４】
本発明の電子私書箱システム、電子私書箱サーバおよび情報転送方法によれば、以下のごとき効果を奏することができる。
【００２５】
各情報保有機関の情報保有サーバは、それぞれに対応する情報保有機関側の情報保有機関向け電子私書箱サーバのみにアクセスすることにより、保有すべき利用者情報を取得することができるので、各情報保有機関の情報保有サーバの処理負荷を低減することができる。
【００２６】
また、利用者側の利用者向け電子私書箱サーバは、各情報保有機関に対応付けて配置されている情報保有機関向け電子私書箱サーバに常に転送することが可能であるので、従来技術のように、各情報保有機関の情報保有サーバがオンライン状態に切り替わるまで何回かアクセスし、情報を送信することが可能なオンライン状態になったことを確認することができた時点で、情報保有機関の情報保有サーバに対して利用者情報を漸く送信することができるという処理負荷を軽減することができる。
【００２７】
さらには、利用者側の利用者向け電子私書箱サーバと情報保有機関側の情報保有機関向け電子私書箱サーバとの間を、共通の通信インタフェースや共通のフォーマットの利用者情報に統一することにより、利用者向け電子私書箱サーバは、情報保有機関毎に異なる通信インタフェースやフォーマットを意識する必要がなくなるので、電子私書箱システムの構築が容易になり、かつ、利用者向け電子私書箱サーバが複数存在する場合であっても、各利用者向け電子私書箱サーバは、重複したインタフェース変換機能を保有することが不要になり、機能の簡素化を図ることができる。
【図面の簡単な説明】
【００２８】
【図１】本発明に係る電子私書箱システムのシステム構成の一例を示すシステム構成図である。
【図２】本発明に係る電子私書箱サーバの装置構成の一例を示す装置構成図である。
【図３】図１に示す電子私書箱システムの動作の一例を説明するためのシーケンスチャートである。
【図４】従来の電子私書箱システムのシステム構成を示すシステム構成図である。
【発明を実施するための形態】
【００２９】
以下に、本発明に係る電子私書箱システム、電子私書箱サーバおよび情報転送方法の好適な実施形態について、その一例を、図面を参照しながら詳細に説明する。なお、以下の説明においては、本発明による電子私書箱システム、電子私書箱サーバおよび情報転送方法について説明するが、かかる情報転送方法をコンピュータにより実行可能な情報転送プログラムとして実施するようにしても良いし、さらに、かかる情報転送プログラムをコンピュータにより読み取り可能な記録媒体に記録するようにしても良いことは言うまでもない。
【００３０】
（本発明の特徴）
本発明の実施形態の説明に先立って、本発明の特徴についてその概要をまず説明する。本発明は、電子私書箱サーバを、利用者側だけでなく、各情報保有機関側にもそれぞれに対応付けて配置するとともに、利用者側の利用者向け電子私書箱サーバと情報保有機関側の情報保有機関向け電子私書箱サーバとの間を、ネットワークを介して接続して構成することを特徴としている。
【００３１】
さらに、利用者向け電子私書箱サーバは、情報保有機関向け電子私書箱サーバへ転送する利用者情報を、双方の私書箱サーバ間における共通の通信インタフェースや共通のフォーマットに変換した上で、送信先の情報保有機関に対応する情報保有機関向け電子私書箱サーバに転送し、当該情報保有機関向け電子私書箱サーバは、対応する情報保有機関の情報保有サーバが取り扱うことができる固有の通信インタフェースやフォーマットに変換して一旦保存する。そして、各情報保有機関の情報保有サーバは、各情報保有機関に対応付けて配置されている情報保有機関向け電子私書箱サーバに適宜アクセスして、情報保有機関向け電子私書箱サーバに保存されている利用者情報を入手するように動作する。
【００３２】
而して、各情報保有機関の情報保有サーバは、当該情報保有機関に対応する情報保有機関向け電子私書箱サーバのみにアクセスするだけで、当該情報保有サーバにおいて保有すべき利用者情報を取得することができるので、各情報保有機関の情報保有サーバの処理負荷を低減することができる。なお、情報保有機関向け電子私書箱サーバは、利用者向け電子私書箱サーバから利用者情報を受け取った際に、送信先の情報保有機関の情報保有サーバが情報を受信することが可能なオンライン状態にあった場合には、当該利用者情報を、当該情報保有サーバが取り扱うことができる固有の通信インタフェース、共通のフォーマットに変換して、一旦保存することなく、直ちに、当該情報保有サーバへ転送することも可能である。
【００３３】
また、利用者側の利用者向け電子私書箱サーバは、情報保有機関の情報保有サーバに送信しようとする利用者情報を、各情報保有機関に対応付けて配置されている情報保有機関側の情報保有機関向け電子私書箱サーバに常に転送することが可能であるので、従来技術のように、情報保有機関の情報保有サーバがオンライン状態に切り替わるまで何回かアクセスし、情報を提供することが可能なオンライン状態に切り替わったことを確認することができた時点で、情報保有機関の情報保有サーバに対して利用者情報を漸く送信することができるという処理負荷を軽減することができる。
【００３４】
さらには、利用者側の利用者向け電子私書箱サーバと情報保有機関側の情報保有機関向け電子私書箱サーバとの間を、共通の通信インタフェースや共通のフォーマットの利用者情報に統一することにより、利用者向け電子私書箱サーバは、情報保有機関毎に異なるインタフェースやフォーマットを意識する必要がなく、電子私書箱システムの構築が容易となり、利用者向け電子私書箱サーバが複数存在している場合であっても、各利用者向け電子私書箱サーバは、重複したインタフェース変換機能を保有する必要がなく、機能の簡素化を図ることができる。
【００３５】
（本発明に係る電子私書箱システムの構成例）
次に、本発明に係る電子私書箱システムのシステム構成について、その一例を、図１を用いて説明する。図１は、本発明に係る電子私書箱システムのシステム構成の一例を示すシステム構成図であり、図４の従来技術の場合とは異なり、電子私書箱サーバが２段構造からなっており、利用者側の各利用者向け電子私書箱サーバ２０（２０Ａ，２０Ｂ，２０Ｃ，２０Ｄ，…）と情報保有機関側の情報保有機関向け電子私書箱サーバ３０（３０Ａ，３０Ｂ，３０Ｃ，…）とが、ネットワーク５０を介して接続されている。
【００３６】
すなわち、図１のシステム構成図に示すように、本電子私書箱システムは、利用者Ａ，Ｂ，Ｃ，Ｄ，…それぞれが利用する利用者端末１０Ａ，１０Ｂ，１０Ｃ，１０Ｄ，…、利用者Ａ，Ｂ，Ｃ，Ｄ，…それぞれに対応して利用者側に配置され、利用者端末１０Ａ，１０Ｂ，１０Ｃ，１０Ｄ，…それぞれからの利用者情報（利用者Ａ情報、利用者Ｂ情報、利用者Ｃ情報、利用者Ｄ情報、…）を、ネットワーク６０Ａ，６０Ｂ，６０Ｃ，６０Ｄ，…を介して、受信して、一旦保存する電子私書箱を備えた利用者向け電子私書箱サーバ２０Ａ，２０Ｂ，２０Ｃ，２０Ｄ，…を備えている。
【００３７】
さらに、本電子私書箱システムは、情報保有機関１，２，３，…それぞれに対応して情報保有機関側に配置され、情報保有機関１，２，３，…の情報保有サーバ４０Ａ，４０Ｂ，４０Ｃ，…それぞれに接続される情報保有機関向け電子私書箱サーバ３０Ａ，３０Ｂ，３０Ｃ，…を備えている。
【００３８】
情報保有機関１，２，３，…の情報保有サーバ４０Ａ，４０Ｂ，４０Ｃ，…は、情報保有機関１，２，３，…の操作者からの指示があった際に、または、あらかじめ定めた周期ごとに、適宜、それぞれに対応する情報保有機関向け電子私書箱サーバ３０Ａ，３０Ｂ，３０Ｃ，…にアクセスして、それぞれの情報保有機関向けの利用者情報を取得する。
【００３９】
利用者向け電子私書箱サーバ２０Ａ，２０Ｂ，２０Ｃ，２０Ｄ，…には、それぞれ、利用者端末１０Ａ，１０Ｂ，１０Ｃ，１０Ｄ，…からの利用者情報（利用者Ａ情報、利用者Ｂ情報、利用者Ｃ情報、利用者Ｄ情報、…）を、ネットワーク５０を介して、送信先の情報保有機関１，２，３，…の情報保有サーバ４０Ａ，４０Ｂ，４０Ｃ，…に対応する情報保有機関向け電子私書箱サーバ３０Ａ，３０Ｂ，３０Ｃ，…側に送信する際に、当該利用者情報を各情報保有機関１，２，３，…の情報保有サーバ４０Ａ，４０Ｂ，４０Ｃ，…に共通の通信インタフェース、共通のフォーマットとしてあらかじめ定めた通信インタフェース、フォーマットに揃えるための共通インタフェース変換手段としてインタフェース変換手段２３Ａ，２３Ｂ，２３Ｃ，２３Ｄ，…を備えており、インタフェース変換手段２３Ａ，２３Ｂ，２３Ｃ，２３Ｄ，…により、共通の通信インタフェース、共通のフォーマットに変換した後、利用者情報を、送信先に該当する情報保有機関向け電子私書箱サーバ３０Ａ，３０Ｂ，３０Ｃ，…のいずれかに送信する。
【００４０】
また、情報保有機関向け電子私書箱サーバ３０Ａ，３０Ｂ，３０Ｃ，…には、利用者向け電子私書箱サーバ２０Ａ，２０Ｂ，２０Ｃ，２０Ｄ，…から送信されてきた利用者情報（利用者Ａ情報、利用者Ｂ情報、利用者Ｃ情報、利用者Ｄ情報、…）を、前記共通の通信インタフェース、共通のフォーマットから、対応する情報保有機関１，２，３，…の情報保有サーバ４０Ａ，４０Ｂ，４０Ｃ，…において取り扱うことができる固有の通信インタフェース、フォーマットに変換するための固有インタフェース変換手段としてインタフェース変換手段３３Ａ，３３Ｂ，３３Ｃ，…を備えており、インタフェース変換手段３３Ａ，３３Ｂ，３３Ｃ，…により、利用者向け電子私書箱サーバ２０Ａ，２０Ｂ，２０Ｃ，２０Ｄ，…から送信されてきた利用者情報（利用者Ａ情報、利用者Ｂ情報、利用者Ｃ情報、利用者Ｄ情報、…）を、共通の通信インタフェース、共通のフォーマットから、対応する情報保有機関１，２，３，…の情報保有サーバ４０Ａ，４０Ｂ，４０Ｃ，…に固有の通信インタフェース、フォーマットに変換して、一旦保存し、対応する情報保有機関１，２，３，…の情報保有サーバ４０Ａ，４０Ｂ，４０Ｃ，…から利用者情報の転送要求を受け取った際に、対応する情報保有サーバ４０Ａ，４０Ｂ，４０Ｃ，…に対して利用者情報を送信するか、あるいは、利用者情報を受信して固有の通信インタフェース、フォーマットに変換した際に、対応する情報保有サーバ４０Ａ，４０Ｂ，４０Ｃ，…が情報を受信することが可能なオンライン状態にあった場合に、対応する情報保有サーバ４０Ａ，４０Ｂ，４０Ｃ，…に対して利用者情報を送信する。
【００４１】
なお、図１には、利用者端末２０Ａ，２０Ｂ，２０Ｃ，２０Ｄ，…と利用者向け電子私書箱サーバ２０Ａ，２０Ｂ，２０Ｃ，２０Ｄ，…との間を接続するネットワークを、ネットワーク６０Ａ，６０Ｂ，６０Ｃ，６０Ｄ，…と、それぞれ、別々のネットワークとして示しているが、同一のネットワークであっても構わない。また、利用者向け電子私書箱サーバ２０Ａ，２０Ｂ，２０Ｃ，２０Ｄ，…と情報保有機関向け電子私書箱サーバ３０Ａ，３０Ｂ，３０Ｃ，…との間を接続しているネットワーク５０とネットワーク６０Ａ，６０Ｂ，６０Ｃ，６０Ｄ，…とが同一のネットワークであっても構わない。また、情報保有機関向け電子私書箱サーバ３０Ａ，３０Ｂ，３０Ｃ，…と情報保有機関１，２，３，…の情報保有サーバ４０Ａ，４０Ｂ，４０Ｃ，…との間を直接接続している例を示しているが、ネットワークを介在させて接続するようにしても良い。
【００４２】
次に、図１に示す利用者向け電子私書箱サーバ２０Ａ，２０Ｂ，２０Ｃ，２０Ｄ，…および情報保有機関向け電子私書箱サーバ３０Ａ，３０Ｂ，３０Ｃ，…の装置構成について、その一例を、図２を用いて説明する。図２は、本発明に係る電子私書箱サーバの装置構成の一例を示す装置構成図であり、利用者側に配置する利用者向け電子私書箱サーバ２０と情報保有機関側に配置する情報保有機関向け電子私書箱サーバ３０との間をネットワーク５０を介して接続した形式で、双方の装置構成の一例を示している。
【００４３】
なお、利用者Ａ，Ｂ，Ｃ，Ｄ，…毎に対応して配置される図１の利用者向け電子私書箱サーバ２０Ａ，２０Ｂ，２０Ｃ，２０Ｄ，…は、図２の利用者向け電子私書箱サーバ２０に示すように、すべて同一の装置構成であり、情報保有機関１，２，３，…毎に対応して配置される図１の情報保有機関向け電子私書箱サーバ３０Ａ，３０Ｂ，３０Ｃ，…は、図２の情報保有機関向け電子私書箱サーバ３０に示すように、すべて同一の装置構成であっても構わない。
【００４４】
図２に示すように、利用者向け電子私書箱サーバ２０は、利用者情報受信手段２１、電子私書箱相互認証手段２２、インタフェース変換手段２３、利用者情報送信手段２４を少なくとも備えている。
【００４５】
利用者情報受信手段２１は、対応する利用者端末１０（１０Ａ，１０Ｂ，１０Ｃ，１０Ｄ，…）からネットワーク６０（６０Ａ，６０Ｂ，６０Ｃ，６０Ｄ，…）を介して送信されてくる利用者情報を受信するものであり、電子私書箱相互認証手段２２は、ネットワーク５０を介して、情報保有機関向け電子私書箱サーバ３０に利用者情報を送信する動作に先立って相互の認証動作が実施され、送信先の情報保有機関向け電子私書箱サーバ３０が正当な送信先であることを認証する動作を行うものである。
【００４６】
また、インタフェース変換手段２３は、ネットワーク５０を介して、情報保有機関向け電子私書箱サーバ３０に利用者情報を送信する動作に先立って、該利用者情報を、あらかじめ定めた共通の通信インタフェース、共通のフォーマットに変換する共通インタフェース変換手段であり、利用者情報送信手段２４は、インタフェース変換手段２３により共通の通信インタフェース、共通のフォーマットに変換された利用者情報を、ネットワーク５０を介して、情報保有機関向け電子私書箱サーバ３０に送信するものである。なお、利用者情報送信手段２４は、利用者情報を、正当な送信先の情報保有機関向け電子私書箱サーバ３０においてのみ復号することが可能な暗号化鍵によって暗号化して送信する。
【００４７】
一方、情報保有機関向け電子私書箱サーバ３０は、図２に示すように、利用者情報保存手段３１、電子私書箱相互認証手段３２、インタフェース変換手段３３、利用者情報受信手段３４、利用者情報要求受付手段３５、利用者情報提供手段３６を少なくとも備えている。
【００４８】
電子私書箱相互認証手段３２は、利用者向け電子私書箱サーバ２０の電子私書箱相互認証手段２２との間で、利用者情報の送信元の利用者向け電子私書箱サーバ２０が正当な送信元であることを認証するものであり、利用者向け電子私書箱サーバ２０から利用者情報を受信する動作に先立って相互の認証動作が実施される。
【００４９】
利用者情報受信手段３４は、利用者向け電子私書箱サーバ２０から、ネットワーク５０を介して、送信されてくる共通の通信インタフェース、共通のフォーマットの利用者情報を受信して、当該情報保有機関向け電子私書箱サーバ３０のみで利用することができる固有の復号鍵を用いて、受信した利用者情報を復号するものである。
【００５０】
インタフェース変換手段３３は、利用者情報受信手段３４から転送されてくる共通の通信インタフェース、共通のフォーマットの利用者情報を、対応する情報保有機関の情報保有サーバ４０において取り扱うことができる固有の通信インタフェース、フォーマットに変換する固有インタフェース変換手段であり、利用者情報保存手段３１は、インタフェース変換手段３３によって、対応する情報保有機関の情報保有サーバ４０に固有の通信インタフェース、フォーマットに変換された利用者情報を一旦保存するものである。
【００５１】
利用者情報要求受付手段３５は、対応する情報保有機関の情報保有サーバ４０からの利用者情報の転送要求を受付け、利用者情報提供手段３６に対して、利用者情報の転送指示を送出するものであり、利用者情報提供手段３６は、利用者情報要求受付手段３５からの転送指示を受け取った際に、利用者情報保存手段３１に保存されている利用者情報を読み出して、転送要求元の情報保有機関の情報保有サーバ４０に対して転送するものである。
【００５２】
（本発明に係る電子私書箱システムの動作例）
次に、図１、図２に示した電子私書箱システムの動作について、その一例を、図３のシーケンスチャートを用いて説明する。図３は、図１に示す電子私書箱システムの動作の一例を説明するためのシーケンスチャートであり、利用者Ａ，Ｂ，Ｃ，Ｄの利用者端末１０Ａ，１０Ｂ，１０Ｃ，１０Ｄそれぞれから、情報保有機関１用の利用者情報として送信されてきた利用者情報（利用者Ａ情報、利用者Ｂ情報、利用者Ｃ情報、利用者Ｄ情報）を、当該情報保有機関１の情報保有サーバ４０Ａへ送信するまでの動作の一例を示している。
【００５３】
図３において、まず、利用者Ａが、情報保有機関１用の利用者Ａ情報を利用者端末１０Ａに入力すると（シーケンスＳｅｑ１Ａ）、利用者端末１０Ａは、入力されてきた利用者Ａ情報を、ネットワーク６０Ａを介して、当該利用者Ａ用の利用者向け電子私書箱サーバ２０Ａに対して送信する（シーケンスＳｅｑ２Ａ）。
【００５４】
利用者向け電子私書箱サーバ２０Ａは、利用者端末１０Ａから送信されてきた情報保有機関１用の利用者Ａ情報を、利用者情報受信手段２１によって受信すると、受信した利用者Ａ情報の送信先が、情報保有機関１用の情報保有機関向け電子私書箱サーバであることを確認した後、電子私書箱相互認証手段２２を駆動して、受信した利用者Ａ情報の送信先となる情報保有機関向け電子私書箱サーバ３０Ａとの間で相互認証動作を行う（シーケンスＳｅｑ３Ａ）。
【００５５】
情報保有機関向け電子私書箱サーバ３０Ａとの間で相互認証が実施された結果、情報保有機関向け電子私書箱サーバ３０Ａが正当な送信先であることが検証されると、利用者向け電子私書箱サーバ２０Ａは、インタフェース変換手段２３を駆動して、利用者情報受信手段２１により受信した情報保有機関１用の利用者Ａ情報を、あらかじめ定めた共通の通信インタフェース、共通のフォーマットに変換して、利用者情報送信手段２４に転送する。
【００５６】
インタフェース変換手段２３にて共通の通信インタフェース、共通のフォーマットに変換された情報保有機関１用の利用者Ａ情報を受け取った利用者情報送信手段２４は、当該利用者Ａ情報を、送信先の情報保有機関に対応する情報保有機関向け電子私書箱サーバ３０Ａ用の暗号化鍵（情報保有機関向け電子私書箱サーバ３０Ａの復号鍵によってのみ復号が可能な暗号化鍵）によって暗号化した後、ネットワーク５０を介して、情報保有機関１に対応する情報保有機関向け電子私書箱サーバ３０Ａに対して送信する（シーケンスＳｅｑ４Ａ）。
【００５７】
ここで、利用者Ａ側の利用者向け電子私書箱サーバ２０Ａは、情報保有機関１の情報保有サーバ４０Ａがたとえオフライン状態にあったとしても、情報保有機関１の情報保有サーバ４０Ａに送信しようとする利用者Ａ情報を、情報保有機関１に対応付けて配置されている情報保有機関向け電子私書箱サーバ３０Ａに常に転送することが可能であるので、従来技術のように、情報保有機関１の情報保有サーバ４０Ａがオンライン状態に切り替わるまで何回かアクセスし、情報を提供することが可能なオンライン状態に切り替わったことを確認することができた時点で、情報保有機関１の情報保有サーバ４０Ａに対して利用者情報を漸く送信するという処理負荷を軽減することができる。
【００５８】
情報保有機関向け電子私書箱サーバ３０Ａは、電子私書箱相互認証手段３２にて、先行して相互認証動作が実施された結果、利用者情報の正当な送信元として相互認証が得られた利用者向け電子私書箱サーバ２０Ａから、情報保有機関１用の利用者Ａ情報が送信されてくると、利用者情報受信手段３４によって受信し、当該情報保有機関向け電子私書箱サーバ３０Ａに固有の復号鍵によって、受信した情報保有機関１用の利用者Ａ情報を復号する。しかる後、インタフェース変換手段３３を駆動して、共通の通信インタフェース、共通のフォーマットに変換されていた情報保有機関１用の利用者Ａ情報を、情報保有機関１用の情報保有サーバ４０Ａにおいて取り扱うことができる通信インタフェース、フォーマットに変換して、利用者情報保存手段３１に一旦保存する。
【００５９】
以上の動作により、利用者Ａが利用者端末１０Ａに入力した情報保有機関１用の利用者Ａ情報は、情報保有機関１用の情報保有サーバ４０Ａに対応して配置されている情報保有機関向け電子私書箱サーバ３０Ａ内に、当該情報保有サーバ４０Ａにおいて取り扱うことが可能な通信インタフェース、フォーマットの形で保存され、情報保有機関１用の情報保有サーバ４０Ａから利用者情報の転送要求が送信されてくるまで待ち合わせる。なお、情報保有機関向け電子私書箱サーバ３０Ａ内に利用者Ａ情報を保存する際に、情報保有機関１用の暗号化鍵（当該情報保有機関１用の復号鍵によってのみ復号することが可能な暗号化鍵）によって暗号化して保存するようにしても良い。
【００６０】
他の利用者に関する利用者情報の情報保有機関１用の情報保有サーバ４０Ａへの送信動作についても、利用者Ａの場合と全く同様である。
【００６１】
すなわち、利用者Ｂ，Ｃ，Ｄが、情報保有機関１用の利用者Ｂ情報、利用者Ｃ情報、利用者Ｄ情報をそれぞれ利用者端末１０Ｂ，１０Ｃ，１０Ｄに入力すると（シーケンスＳｅｑ１Ｂ，１Ｃ，１Ｄ）、利用者端末１０Ｂ，１０Ｃ，１０Ｄは、入力されてきた利用者Ｂ情報、利用者Ｃ情報、利用者Ｄ情報を、それぞれ、ネットワーク６０Ｂ，６０Ｃ，６０Ｄを介して、利用者Ｂ，Ｃ，Ｄ用の利用者向け電子私書箱サーバ２０Ｂ，２０Ｃ，２０Ｄに対して送信する（シーケンスＳｅｑ２Ｂ，２Ｃ，２Ｄ）。
【００６２】
利用者向け電子私書箱サーバ２０Ｂ，２０Ｃ，２０Ｄは、利用者端末１０Ｂ，１０Ｃ，１０Ｄから送信されてきた情報保有機関１用の利用者Ｂ情報、利用者Ｃ情報、利用者Ｄ情報を、それぞれ、受信すると、受信した利用者Ｂ情報、利用者Ｃ情報、利用者Ｄ情報の送信先となる情報保有機関１用の情報保有機関向け電子私書箱サーバ３０Ａとの間でそれぞれ相互認証動作を行う（シーケンスＳｅｑ３Ｂ，３Ｃ，３Ｄ）。
【００６３】
情報保有機関向け電子私書箱サーバ３０Ａとの間で相互認証が実施された結果、情報保有機関向け電子私書箱サーバ３０Ａが正当な送信先であることが検証されると、利用者向け電子私書箱サーバ２０Ｂ，２０Ｃ，２０Ｄは、受信した情報保有機関１用の利用者Ｂ情報、利用者Ｃ情報、利用者Ｄ情報を、それぞれ、あらかじめ定めた共通の通信インタフェース、共通のフォーマットに変換して、送信先の情報保有機関１用の暗号化鍵によって暗号化した後、ネットワーク５０を介して、情報保有機関１に対応する情報保有機関向け電子私書箱サーバ３０Ａに対して、それぞれ、送信する（シーケンスＳｅｑ４Ｂ，４Ｃ，４Ｄ）。
【００６４】
情報保有機関向け電子私書箱サーバ３０Ａは、先に、利用者情報の正当な送信元としてそれぞれ相互認証が得られた利用者向け電子私書箱サーバ２０Ｂ，２０Ｃ，２０Ｄから、情報保有機関１用の利用者Ｂ情報、利用者Ｃ情報、利用者Ｄ情報がそれぞれ送信されてくると、当該情報保有機関向け電子私書箱サーバ３０Ａに固有の復号鍵によって情報保有機関１用の利用者Ｂ情報、利用者Ｃ情報、利用者Ｄ情報を復号した後、共通の通信インタフェース、共通のフォーマットに変換されていた情報保有機関１用の利用者Ａ情報を、情報保有機関１用の情報保有サーバ４０Ａにおいて取り扱うことができる通信インタフェース、フォーマットに変換して、利用者情報保存手段３１に一旦保存する。
【００６５】
以上の動作により、利用者Ｂ，Ｃ，Ｄが利用者端末１０Ｂ，１０Ｃ，１０Ｄにそれぞれ入力した情報保有機関１用の利用者Ｂ情報、利用者Ｃ情報、利用者Ｄ情報についても、情報保有機関１用の情報保有サーバ４０Ａに対応して配置されている情報保有機関向け電子私書箱サーバ３０Ａ内に、当該情報保有サーバ４０Ａにおいて取り扱うことが可能な通信インタフェース、フォーマットの形で保存され、情報保有機関１用の情報保有サーバ４０Ａから利用者情報の転送要求が送信されてくるまで待ち合わせる。なお、情報保有機関向け電子私書箱サーバ３０Ａ内に利用者Ｂ情報、利用者Ｃ情報、利用者Ｄ情報をそれぞれ保存する際に、情報保有機関１用の暗号化鍵（当該情報保有機関１用の復号鍵によってのみ復号することが可能な暗号化鍵）によって暗号化して保存するようにしても良い。
【００６６】
かかる状態において、さらに、利用者端末１０Ａ，１０Ｂ，１０Ｃ，１０Ｄそれぞれから、利用者向け電子私書箱サーバ２０Ａ，２０Ｂ，２０Ｃ，２０Ｄを介して、情報保有機関１用の利用者Ａ情報、利用者Ｂ情報、利用者Ｃ情報、利用者Ｄ情報が、送信されてきた場合、情報保有機関１用の情報保有機関向け電子私書箱サーバ３０Ａ内に、情報保有機関１の情報保有サーバ４０Ａにおいて取り扱うことが可能な通信インタフェース、フォーマットの形で追加保存される。
【００６７】
しかる後、情報保有機関１用の情報保有機関向け電子私書箱サーバ３０Ａは、情報保有機関１の情報保有サーバ４０Ａから、当該情報保有機関１用の利用者情報の転送要求を、利用者情報要求受付手段３５にて、受信すると（シーケンスＳｅｑ５）、利用者情報提供手段３６に対して、保存している利用者情報の転送指示を送出する。該転送指示を受け取った利用者情報提供手段３６は、情報保有機関１用の利用者情報として利用者情報保存手段３１によって一旦保存されている利用者Ａ情報、利用者Ｂ情報、利用者Ｃ情報、利用者Ｄ情報を読み出して、転送要求元の情報保有機関１の情報保有サーバ４０Ａに対して転送する（シーケンスＳｅｑ６）。
【００６８】
かくのごとく、情報保有機関１の情報保有サーバ４０Ａは、当該情報保有機関１に対応する情報保有機関向け電子私書箱サーバ３０Ａのみにアクセスするだけで、当該情報保有サーバ４０Ａにおいて保有すべき利用者情報を取得することができるので、情報保有機関１の情報保有サーバ４０Ａの処理負荷を低減することができる。
【００６９】
以上の動作により、各利用者Ａ，Ｂ，Ｃ，Ｄそれぞれから送信要求があった情報保有機関１用の利用者Ａ情報、利用者Ｂ情報、利用者Ｃ情報、利用者Ｄ情報は、利用者向け電子私書箱サーバ２０Ａ，２０Ｂ，２０Ｃ，２０Ｄにて共通の通信インタフェース、共通のフォーマットに変換されて、情報保有機関１用の情報保有機関向け電子私書箱サーバ３０Ａに転送され、しかる後、共通の通信インタフェース、共通のフォーマットから情報保有機関１用の通信インタフェース、フォーマットに変換されて、情報保有機関１の情報保有サーバ４０Ａに保有されることになる。
【００７０】
かくのごとく、利用者側の利用者向け電子私書箱サーバ２０Ａ，２０Ｂ，２０Ｃ，２０Ｄと情報保有機関１側の情報保有機関向け電子私書箱サーバ３０Ａや他の情報保有機関側の情報保有機関向け電子私書箱サーバとの間を、共通のインタフェースで統一することにより、利用者向け電子私書箱サーバ２０Ａ，２０Ｂ，２０Ｃ，２０Ｄは、情報保有機関毎に異なるフォーマットや通信インタフェースを意識する必要がなく、電子私書箱システムの構築が容易となり、利用者向け電子私書箱サーバが複数存在している場合であっても、各利用者向け電子私書箱サーバに、複数の情報保有機関それぞれに対応する重複したインタフェース変換機能を保有する必要がなく、機能の簡素化を図ることができる。
【００７１】
（その他の実施形態）
前述の実施形態においては、情報保有機関向け電子私書箱サーバ３０と情報保有機関の情報保有サーバ４０との間が直結している場合について説明したが、場合によっては、ネットワークを介して接続するようにしても良い。また、情報保有機関向け電子私書箱サーバ３０と情報保有機関の情報保有サーバ４０との対応関係を１：１として構成する場合について説明したが、場合によっては、１：ｎまたはｍ：１の対応関係として、１台の情報保有機関向け電子私書箱サーバ３０が複数の情報保有サーバ４０に対応したり、あるいは、複数の情報保有機関向け電子私書箱サーバ３０が１台の情報保有サーバ４０に対応したり、あるいは、電子私書箱システムとしての信頼性の向上を図るために、１台の情報保有サーバ４０に対して複数の情報保有機関向け電子私書箱サーバ３０を配置するような冗長構成としたりすることも可能である。
【００７２】
また、前述の実施形態においては、情報保有機関の情報保有サーバ４０からの利用者情報の転送要求を受信するまで、情報保有機関向け電子私書箱サーバ３０側に、利用者情報を保存する場合について説明したが、本発明は、かかる場合のみに限るものではない。例えば、情報保有機関向け電子私書箱サーバ３０は、利用者向け電子私書箱サーバ２０から利用者情報を受け取った際に、送信先の情報保有サーバ４０が利用者情報の転送が可能なオンライン状態にあるか否かを確認して、利用者情報を転送することができない状態にあった場合に限って、一旦保存して、情報保有サーバ４０からの利用者情報の転送要求を待ち合わせることとし、転送することが可能なオンライン状態にあった場合には、直ちに、利用者情報を送信先の情報保有サーバ４０に転送するようにしても良い。
【００７３】
また、情報保有機関向け電子私書箱サーバ３０内に利用者情報を一旦保存する際に、共通の通信インタフェース、共通のフォーマットから、対応する情報保有機関の情報保有サーバ４０が取り扱うことが可能な固有の通信インタフェース、フォーマットに変換した後、保存する場合について説明したが、場合によっては、利用者向け電子私書箱サーバ２０から受信した利用者情報を共通の通信インタフェース、共通のフォーマットのまま保存し、対応する情報保有機関の情報保有サーバ４０から利用者情報の転送要求を受け取った際に、当該情報保有サーバ４０が取り扱うことが可能な固有の通信インタフェース、フォーマットに変換して、当該情報保有サーバ４０に転送するようにしても良い。
【００７４】
また、前述の実施形態においては、電子私書箱サーバを、利用者側の利用者向け電子私書箱サーバ２０と情報保有機関側の情報保有機向け電子私書箱サーバ３０とをネットワーク５０を介して接続した２段構成からなるシステム構成を示したが、本発明は、かかるシステム構成に限るものではない。例えば、利用者端末１０として、各情報保有機関に共通の通信インタフェース、共通のフォーマットに準拠した形式の利用者情報を生成する機能を備えている場合には、当該利用者端末１０を、利用者向け電子私書箱サーバ２０ではなく、ネットワーク５０を介して、情報保有機向け電子私書箱サーバ３０に接続するようなシステム構成であっても良い。
【００７５】
また、情報保有サーバ４０として、各情報保有機関に共通の通信インタフェース、共通のフォーマットに準拠した形式の利用者情報を取り扱うことが可能な機能を備えている場合には、当該情報保有サーバ４０を、情報保有機向け電子私書箱サーバ３０に接続するのではなく、ネットワーク５０を介して、利用者向け電子私書箱サーバ２０に接続するようなシステム構成であっても良い。
【００７６】
なお、前述の実施形態においては、利用者情報を、利用者端末１０側から情報保有機関サーバ４０へアップロードする転送動作の場合についてのみ説明したが、図１の一点鎖線の配信ルートに示すように、情報保有機関サーバＣ側から利用者端末１０Ｃ，１０Ｄへ、それぞれ、利用者Ｃ情報、利用者Ｄ情報を配信する場合についても適用することができる。つまり、かかる場合は、情報の転送方向が逆方向になるだけであって、前述した実施形態の手順を、利用者端末１０、利用者向け電子私書箱サーバ２０、情報保有機関向け電子私書箱サーバ３０、情報保有機関サーバ４０のそれぞれを逆順に入れ替えた手順として動作することが可能であり、本発明は、利用者端末１０側から情報保有機関サーバ４０へアップロードする場合のみならず、情報保有機関サーバ４０側から利用者端末１０へ利用者情報をアップロードする場合についても適用することができることは言うまでもない。
【符号の説明】
【００７７】
１，２，３…情報保有機関、１０，１０Ａ，１０Ｂ，１０Ｃ，１０Ｄ…利用者端末、２０，２０Ａ，２０Ｂ，２０Ｃ，２０Ｄ…利用者向け電子私書箱サーバ、２１…利用者情報受信手段、２２…電子私書箱相互認証手段、２３，２３Ａ，２３Ｂ，２３Ｃ，２３Ｄ…インタフェース変換手段、２４…利用者情報送信手段、３０，３０Ａ，３０Ｂ，３０Ｃ…情報保有機関向け電子私書箱サーバ、３１…利用者情報保存手段、３２…電子私書箱相互認証手段、３３，３３Ａ，３３Ｂ，３３Ｃ…インタフェース変換手段、３４…利用者情報受信手段、３５…利用者情報要求受付手段、３６…利用者情報提供手段、４０，４０Ａ，４０Ｂ，４０Ｃ…情報保有サーバ、５０…ネットワーク、６０Ａ，６０Ｂ，６０Ｃ，６０Ｄ…ネットワーク、７０Ａ，７０Ｂ，７０Ｃ，７０Ｄ…電子私書箱サーバ、７３Ａ，７３Ｂ，７３Ｃ，７３Ｄ…インタフェース変換処理部、Ａ，Ｂ，Ｃ，Ｄ…利用者。
【図１】
2010257364.tif 000003
【図２】
2010257364.tif 000004
【図３】
2010257364.tif 000005
【図４】
2010257364.tif 000006